(57)【要約】【課題】  ロールペーパの使用が進み、小径になっても、次の使用時のペーパーの掴み代を十分に確保でき、使い勝手のよいトイレット用ロールペーパ支持器を提供する。【解決手段】  ロールペーパ９を回動可能に支持する支持軸８を備えたホルダフレーム１に上下方向の挿通孔１４を設け、挿通孔にスライダポール２を挿通し、スライダポールと一体で所定量昇降可能なスライダ３を弾性体４により上方に付勢し、スライダに枢着されるカバー７の先端にロールペーパの外周面に接触するペーパ分離板１２を設け、ペーパ分離板とカバーの内面にロールペーパの先端部分１３を挿通する通し窓１５を形成し、通し窓の内側のカバーの先端にペーパカッタ１１を設け、スライダに一端が回動可能に固定され、スライダが上昇する際にロールペーパに当接してロールペーパの繰り出し方向への回動を起こさせる回動促進板１７を設けたペーパ支持器。【選択図】  図１
2006230881.tif 000002
【特許請求の範囲】
【請求項１】
トイレット用ロールペーパを回動可能に支持する支持軸を備えたホルダフレームに上下方向の挿通孔を設け、該挿通孔にスライダポールを挿通し、該スライダポールを一体に備えるとともに所定量だけ昇降可能なスライダを弾性体により上方に付勢し、該スライダに枢着されるカバーの先端にロールペーパの外周面に接触するペーパ分離板を設け、該ペーパ分離板と前記カバーの内面にロールペーパの先端部分を挿通する通し窓を形成し、該通し窓の内側の前記カバーの先端にペーパカッタを設け、前記スライダに一端が回動可能に固定され、前記スライダが上昇する際に前記トイレット用ロールペーパに当接して該トイレット用ロールペーパの繰り出し方向への回動を起こさせる回動促進板を設けたことを特徴とするトイレット用ロールペーパ支持器。
【請求項２】
前記スライダの上昇速度を規制する速度規制手段を備えることを特徴とする請求項１に記載のトイレット用ロールペーパ支持器。
【発明の詳細な説明】
【技術分野】
【０００１】
本発明は、トイレット内の壁面に取り付けられるトイレット用ロールペーパ支持器の改良に関する。
【背景技術】
【０００２】
従来一般に使用されているトイレット用ロールペーパ支持器（以下、「ロールペーパ支持器」と略称する）は、トイレット内の壁面に取り付けられるホルダフレームに、湾曲した薄板状のカバーの一端を枢着し、カバーの他端は自重によりロールペーパの外周面に接触するように構成されている。
【０００３】
トイレット使用者がロールペーパを使用するには、まず、ロールペーパの先端を掴んでロールペーパの外周面から剥ぎ取り、ロールペーパの先端を手前に引き、所要量のペーパを引き出した後、カバーを押さえてロールペーパにブレーキをかけて引き上げ、カバーの先端を利用して切断する。
【０００４】
一度切断されたロールペーパの新たな先端は、ロールペーパの外周面に巻回されたままカバーの裏面に押さえられた位置にあるので、次に使用するときには、指先でカバーを跳ね上げ、ロールペーパの先端をロールペーパの外周面からほぐして掴み取るか、ロールペーパを指で手繰り回転させて、引っ張り易い位置まで持ってくる必要がある。このように、従来のロールペーパ支持器では、ペーパを使用する手間が煩わしく、さらに加えて、特に、指先に湿り気がなくなった高齢者や、アトピー性皮膚炎により指先が乾燥している人には、ロールペーパの先端を摘み出すのに難儀するという問題があった。
【０００５】
また、ロールペーパの外周の一枚が静電気の影響等でロールペーパに吸着しているときや、ロールペーパの製造時の影響でロールペーパが圧着気味の場合には、指先が乾燥していなくてもペーパ先端を剥ぎ取り難い。衛生面からみても、ペーパの先端を掴むときには、指先がロールペーパの外周面やカバーに触れるので非衛生であり、次にロールペーパを使用する人に不快感を与えるという問題があった。
【０００６】
このような欠点を解消するためには、ロールペーパを使用したときに、残りのペーパの先端が常にロールペーパの外周面から剥離された位置に保持されるようにしておけばよい。そのようにすれば、次にペーパを使用する人は、指先が乾燥していても、ペーパの先端を容易に掴んで所要量のロールペーパを引き出すことができ、しかも、指先がロールペーパの外周面に触れないので衛生的である。
【０００７】
かかる目的から、本出願人は、特許文献１及び特許文献２において、ペーパを使用したときに、ロールペーパの新たなペーパ先端部がロールペーパの外周面から自動的に剥離されるとともに、安全で、ロールペーパの詰め替え作業が容易で、水平方向の空間が限られた一般の狭隘なトイレット室内にも設置することができ、構造が簡単で耐久性に優れ、ロールペーパを引き出す時もロールペーパの回転が軽く、ロールペーパの外周面に傷等を生じさせることのないロールペーパ支持器を提案した。
【０００８】
特許文献２に記載のロールペーパ支持器は、特許文献１に記載のロールペーパ支持器を改良したものであり、図５及び図６に示されている。以下、このロールペーパ支持器について図面を参照しながら簡単に説明する。
【０００９】
このロールペーパ支持器は、支持軸８でロールペーパ９を回動可能に支持し、ホルダフレーム１の側壁１ｂで支持軸８を支持し、このホルダフレーム１に挿通孔１４を穿設し、挿通孔１４にスライダポール２を挿通する。スライダポール２と一体に形成されたスライダ３をコイルばね４により上方に付勢し、スライダ３を上下動可能に支持する。スライダ３に枢着されるカバー７の先端にロールペーパ９の外周面に接触するペーパ分離板１２を設け、ペーパ分離板１２とカバー７の内面にロールペーパ９の先端部分を挿通する通し窓１５を形成する。通し窓１５の内側のカバー７の先端に、ペーパカッタ１１を設ける。さらに、スライダポール２の下端部に一端１７ａが回動可能に固定され、スライダ３の上昇に連動し、ロールペーパ９に当接してロールペーパ９の繰り出し方向への回動を起こさせる回動促進板１７を設けた。
【００１０】
上記ロールペーパ支持器は、回動促進板１７を設けたことを特徴とし、ロールペーパ９の使用後、スライダ３が上昇した際に、ペーパ分離板１２も上昇し、これによって、ロールペーパ９が図６の左上方へ擦り上げられ、反時計回りに回転しようとした際に、回動促進板１７の突出刃１７ｂがロールペーパ９に当接し、このロールペーパ９の回動を規制する。
【００１１】
これに加え、ペーパ分離板１２が上昇すると同時に、回動促進板１７もロールペーパ９の外周に接しながら上昇してロールペーパ９に右方向の回転を与えるため、ロールペーパ９の端末は、十分かつ確実に露出し、ロールペーパ９の端末がカバー７の内側に隠れることがない。これによって、ペーパ先端部１３が通し窓１５より押し出された形を維持することができ、次のペーパの使用が容易になる。さらに、突出刃１７ｂのヤスリ目が上向きであるため、ロールペーパ９を引き出すときにも、抵抗なく軽く引き出すことができる。
【００１２】
【特許文献１】特開２００２−２３８８０１号公報
【特許文献２】特開２００４−３４４４６１号公報
【発明の開示】
【発明が解決しようとする課題】
【００１３】
しかし、上記従来のロールペーパ支持器においては、ロールペーパ９が新品に近いとき、すなわち大径の場合には問題はないが、ロールペーパ９の使用が進んで小径になると、図６の仮想線で示すように、ロールペーパ９の使用後、スライダ３及びペーパ分離板１２が上昇しても、回動促進板１７の上昇量が少なくなる。すると、ロールペーパ９の端末が通し窓１５から押し出される長さが短くなり、次の使用時のペーパーの掴み代が少なくなるという問題があった。
【００１４】
そこで、本発明は、上記特許文献２に記載のロールペーパ支持器における問題点に鑑みてなされたものであって、ロールペーパ９の使用が進み、小径になった場合でも、次の使用時のペーパーの掴み代を十分に確保することができ、使い勝手のよいロールペーパ支持器を提供することを目的とする。
【課題を解決するための手段】
【００１５】
上記目的を達成するため、本発明は、ロールペーパ支持器であって、トイレット用ロールペーパを回動可能に支持する支持軸を備えたホルダフレームに上下方向の挿通孔を設け、該挿通孔にスライダポールを挿通し、該スライダポールを一体に備えるとともに所定量だけ昇降可能なスライダを弾性体により上方に付勢し、該スライダに枢着されるカバーの先端にロールペーパの外周面に接触するペーパ分離板を設け、該ペーパ分離板と前記カバーの内面にロールペーパの先端部分を挿通する通し窓を形成し、該通し窓の内側の前記カバーの先端にペーパカッタを設け、前記スライダに一端が回動可能に固定され、前記スライダが上昇する際に前記トイレット用ロールペーパに当接して該トイレット用ロールペーパの繰り出し方向への回動を起こさせる回動促進板を設けたことを特徴とする。
【００１６】
そして、本発明によれば、回動促進板の一端をスライダに回動可能に固定し、スライダが上昇する際に、回動促進板がトイレット用ロールペーパに当接して該トイレット用ロールペーパの繰り出し方向への回動を起こさせるとともに、ロールペーパの使用が進んで小径になったとしても、ロールペーパの使用後、スライダ及びペーパ分離板が上昇した際の回動促進板の上昇量が少なくなることがなく、ロールペーパの端末が通し窓から押し出される長さが短くなることもない。これによって、次の使用時のペーパーの掴み代を十分に確保することができ、使い勝手が向上する。
【００１７】
前記ロールペーパ支持器において、前記スライダの上昇速度を規制する速度規制手段を備えることができる。これによって、使用者がロールペーパを必要量だけ切り取った後、スライダを押さえていた手を離した瞬間に、コイルばね等の弾性体の性質上、スライダが急激に上昇し、回動促進板も急上昇してロールペーパの外周面を損傷する可能性を抑え、適正な上昇速度を維持することができる。
【発明の効果】
【００１８】
以上のように、本発明によれば、ロールペーパの使用が進んで小径になっても、次の使用時のペーパーの掴み代を十分に確保することができ、使い勝手のよいロールペーパ支持器を提供することができる。
【発明を実施するための最良の形態】
【００１９】
次に、本発明の実施の形態について図１を中心に参照しながら説明する。図１に示した本発明にかかるロールペーパ支持器の構成は、図５及び図６に示した特許文献２に記載されたロールペーパ支持器と回動促進板１７の取り付け位置、及び回動促進板１７の取り付け位置の変更に伴い追加された部品を除いて略々同様であるため、以下の説明において、上記図５及び図６に示した従来のロールペーパ支持器と同一の構成要素については、同一の参照番号を付して詳細説明を省略する。
【００２０】
ホルダフレーム１は、トイレットの壁面に取り付けられる取り付け壁１ａと、その両端の図示しない側壁（図５及び図６の１ｂに相当）とを備え、両側壁に支持軸８が設けられる。取り付け壁１ａの２箇所には、上下方向に挿通孔１４が穿設される（図１には一箇所のみ描かれている）。
【００２１】
２つの挿通孔１４には、一対のスライダポール２が昇降可能に挿入され、弾性体としてのコイルばね４が挿通孔１４及びスライダポール２の内部に収容される。ねじ２５を介してスライダポール２と一体化され、所定量だけ昇降可能なスライダ３は、スライダポール２を介してコイルばね４によって上方に付勢されている。スライダ３とスライダポール２の連結部のスライダ３の下端部３ａには、ホルダフレーム１の上端部１ｄと当接した際の衝撃をやわらげるためのクッションリング２４が設けられる。
【００２２】
ホルダフレーム１の挿通孔１４を塞ぐ底部１ｃには、円形の貫通穴２１が穿設され、貫通穴２１の下方には、底部１ｃの下面を覆うようにフィルム状のバルブ２２が保持されている。このバルブ２２は、図２に示すように円形の本体の中央に小さな丸穴２２ａと、突出部に丸穴２２ｂが穿設され、図１に示すように、丸穴２２ｂを貫通するビス２３によって底部１ｃに保持される。
【００２３】
このバルブ２２は、スライダ３の上昇速度を制限するために設けたものであって、スライダポール２及びスライダ３が下降する際には、図３に示すように、挿通孔１４から貫通穴２１を通って空気が流れる際にバルブ２２が開き、多くの空気が外部に流れるため、スライダポール２及びスライダ３を勢いよく下降させることができるが、スライダ３から手を離してスライダ３が上昇する際には、バルブ２２の略々全面が貫通穴２１を塞ぎ、バルブ２２の丸穴２２ａを通してのみ空気が挿通孔１４に流入することとなるため、スライダポール２及びスライダ３の上昇速度を制限することができる。尚、スライダ３の上昇速度を制限する理由については後述する。
【００２４】
スライダ３の下面側には、ヒンジ１９を介して回動可能に回動促進板１７が支持される。回動促進板１７は、コイルばね２０によって図の右方向、すなわちロールペーパ９に当接する方向に付勢されている。このコイルばね２０は、例えば、図４に示すような構成を備え、中央の延設部２０ａを回動促進板１７の左側面に当接させ、両端からＬ字状に突出する２つの突出部２０ｂをスライダ３の下面に当接させ、２つのコイル部２０ｃによって回動促進板１７をロールペーパ９の方向に付勢する。
【００２５】
コイルばね２０の付勢によって、回動促進板１７は常にロールペーパ９に当接する。これによって、ロールペーパ９の逆方向への回動を抑制するとともに、スライダ３が上昇するときにロールペーパ９に当接しながら回動促進板１７も連動し、ロールペーパ９に時計方向への回動を与えることができる。
【００２６】
スライダ３の上部は、ロールペーパ９の上方に向かって延設され、その先端部のヒンジ６にカバー７の一端が枢着され、カバー７は自重により下方に傾動する。
【００２７】
カバー７の先端には、ペーパ分離板保持部１０を介してペーパ分離板１２が一体的に延設される。カバー７の先端とペーパ分離板１２との間には、ペーパ先端部１３を挿通させるための通し窓１５が形成される。
【００２８】
ペーパ分離板１２は、カバー７の先端部において、通し窓１５の内側に向けられ、ペーパ先端部１３を容易に剥がせ得るように角度を持たせた切下状に形成される。通し窓１５の内側の前記カバー７の先端には、ペーパカッタ１１が設けられる。
【００２９】
次に、以上のように構成されたロールペーパ支持器の動作について説明する。
【００３０】
図５及び図６に示した従来のロールペーパ支持器と同様に、カバー７を押さえていない通常状態では、スライダ３は上昇位置にあり、スライダ３に枢着されているペーパ分離板１２は、ロールペーパ９の外周面に軽く接触している。そこで、最初にペーパ先端部１３を通し窓１５に通して外側に露出させておけば、ロールペーパ９の使用が可能になる。
【００３１】
露出しているペーパ先端部１３を掴み、所要量のペーパを引き出し、カバー７を軽く押さえると、スライダ３がカバー７とともに下降するとともに、ペーパ分離板１２がロールペーパ９の外周面に沿って下降する。この状態で、ロールペーパ９は回動不能になる。さらに、やや持ち上げ気味にペーパを引っ張ると、ペーパ先端部１３は、ペーパカッタ１１に接触する位置で切断される。
【００３２】
このとき、新たなペーパ先端部１３は、通し窓１５の出口側にあり、このままではペーパ先端部１３を掴むことはできないが、カバー７から手を離すと、スライダ３が上昇限度一杯まで上昇するにつれて、通し窓１５の出口側が引き上げられ、結果的に、ペーパ先端部１３が通し窓１５より押し出された形となり、次のペーパの使用が容易になる。
【００３３】
また、カバー７、ペーパ分離板保持部１０及びペーパ分離板１２の重力の一部がペーパ分離板１２の前縁を介してロールペーパ９の外周の一点（一線）に加わることにより、ペーパ分離板１２の上昇につれてロールペーパ９が図１の左上方へ擦り上げられ、反時計回りに回転しようとする。しかし、回動促進板１７がロールペーパ９に当接しているため、このロールペーパ９の回動を規制することができる。
【００３４】
これに加え、ペーパ分離板１２が上昇すると同時に、回動促進板１７もロールペーパ９の外周に接しながら上昇してロールペーパ９に右方向の回転を与えるため、ロールペーパ９の端末は、十分かつ確実に露出し、ロールペーパ９の端末がカバー７の内側に隠れることがない。これによって、ペーパ先端部１３が通し窓１５より押し出された形を維持することができる。
【００３５】
また、ロールペーパ９の使用が進んで小径になったとしても、図１の仮想線で示すように、回動促進板１７の鉛直方向からの傾斜角度が小さいとともに、回動促進板１７はコイルばね２０によってロールペーパ９の方向に常に付勢されているため、ロールペーパ９の使用後、スライダ３及びペーパ分離板１２が上昇した際に、回動促進板１７の上昇量が少なくなることがなく、ロールペーパ９の端末が通し窓１５から押し出される長さが短くなることもない。これによって、次の使用時のペーパーの掴み代を十分に確保することができ、使い勝手が向上する。
【００３６】
さらに、図３に示す構成によってスライダ３の上昇速度を制限したため、スライダ３が勢いよく上昇した際に回動促進板１７も急上昇してロールペーパ９の外周面を損傷することを防止することもできる。尚、スライダ３の上昇速度を制限するにあたっては、図３に示した構成に限定されることなく種々の構成を採用することができる。
【図面の簡単な説明】
【００３７】
【図１】本発明にかかるロールペーパ支持器の一実施の形態を示す一部破断側面図である。
【図２】図１のロールペーパ支持器のフィルム状のバルブを示す図であって、（ａ）は平面図、（ｂ）は斜視図である。
【図３】図１のロールペーパ支持器のホルダフレームの挿通孔の下端部を示す拡大図である。
【図４】図１のロールペーパ支持器のコイルばねを示す斜視図である。
【図５】従来のロールペーパ支持器の一例を示す一部破断斜視図である。
【図６】図５のロールペーパ支持器の側面図である。
【符号の説明】
【００３８】
１      ホルダフレーム
１ａ    取り付け壁
１ｂ    側壁
１ｃ    底部
１ｄ    上端部
２      スライダポール
３      スライダ
３ａ    下端部
４      コイルばね
６      ヒンジ
７      カバー
８      支持軸
９      ロールペーパ
１０    ペーパ分離板保持部
１１    ペーパカッタ
１２    ペーパ分離板
１３    ペーパ先端部
１４    挿通孔
１５    通し窓
１７    回動促進板
１９    ヒンジ
２０    コイルばね
２０ａ  延設部
２０ｂ  突出部
２０ｃ  コイル部
２１    貫通穴
２２    バルブ
２２ａ  丸穴
２２ｂ  丸穴
２３    ビス
２４    クッションリング
２５    ねじ
【図１】
2006230881.tif 000003
【図２】
2006230881.tif 000004
【図３】
2006230881.tif 000005
【図４】
2006230881.tif 000006
【図５】
2006230881.tif 000007
【図６】
2006230881.tif 000008